(57)【要約】  ＣＩＥ１９３１表色系の測定ＸＹＺ値を検出する検出手段（１０）と、表示装置の特性を参照し、測定ＸＹＺ値をＣＩＥ１９６４表色系で表した値である測定Ｘ１０Ｙ１０Ｚ１０値を算出する第１の変換手段（１１）と、ＣＩＥ１９３１表色系の目標色の三刺激値である目標ＸＹＺ値からＣＩＥ１９６４表色系で表した値である目標Ｘ１０Ｙ１０Ｚ１０値を算出する第２の変換手段（１３）と、測定Ｘ１０Ｙ１０Ｚ１０値と目標Ｘ１０Ｙ１０Ｚ１０値とを比較し、これらが一致するような校正値を得る校正値算出手段（１４）と、この校正値をＣＩＥ１９３１表色系の校正値に書き換える校正値修正手段（１５）と、書き換えられたＣＩＥ１９３１表色系の校正値を用いて、表示装置の色補正を行う補正手段（１６）と、を有する。
2012073342.tif 000002
【特許請求の範囲】
【請求項１】
表示装置に表示される画像を測定してＣＩＥ１９３１表色系の三刺激値である測定ＸＹＺ値を検出する検出手段と、
前記表示装置の特性を参照し、前記ＣＩＥ１９３１表色系の測定ＸＹＺ値をＣＩＥ１９６４表色系で表した値である測定Ｘ１０Ｙ１０Ｚ１０値を算出する第１の変換手段と、
ＣＩＥ１９３１表色系の目標色の三刺激値である目標ＸＹＺ値からＣＩＥ１９６４表色系で表した値である目標Ｘ１０Ｙ１０Ｚ１０値を算出する第２の変換手段と、
前記測定Ｘ１０Ｙ１０Ｚ１０値と前記目標Ｘ１０Ｙ１０Ｚ１０値とを比較し、前記測定Ｘ１０Ｙ１０Ｚ１０値と前記目標Ｘ１０Ｙ１０Ｚ１０値とが一致するような校正値を得る校正値算出手段と、
前記表示装置の特性に応じた前記ＣＩＥ１９６４表色系における校正値をＣＩＥ１９３１表色系の校正値に書き換える校正値修正手段と、
前記書き換えられたＣＩＥ１９３１表色系の校正値を用いて、前記表示装置の色補正を行う補正手段と、
を有することを特徴とする表示装置の校正装置。
【請求項２】
表示装置に表示される画像を測定してＣＩＥ１９３１表色系の三刺激値である測定ＸＹＺ値を検出する検出手段と、
ＣＩＥ１９６４表色系の目標色の三刺激値であるＸ１０Ｙ１０Ｚ１０値からＣＩＥ１９３１表色系で表した値である目標ＸＹＺ値の値を算出する第１の変換手段と、
前記検出手段によって得られた検出結果と、第１の変換手段によって得られたＣＩＥ１９３１表色系の目標ＸＹＺ値とが一致するような校正値を得る校正値算出手段と、
前記構成値算出手段によって得られた１９３１表色系の校正値を用いて、前記表示装置の色補正を行う補正手段と、
を有することを特徴とする表示装置の校正装置。
【請求項３】
表示装置に表示される画像を測定してＣＩＥ１９３１表色系の三刺激値である測定ＸＹＺ値を検出し、
前記表示装置の特性を参照し、前記ＣＩＥ１９３１表色系の測定ＸＹＺ値をＣＩＥ１９６４表色系で表した値である測定Ｘ１０Ｙ１０Ｚ１０値を算出し、
ＣＩＥ１９３１表色系の目標色の三刺激値である目標ＸＹＺ値からＣＩＥ１９６４表色系で表した値である目標Ｘ１０Ｙ１０Ｚ１０値を算出し、
前記測定Ｘ１０Ｙ１０Ｚ１０値と前記目標Ｘ１０Ｙ１０Ｚ１０値とを比較し、前記測定Ｘ１０Ｙ１０Ｚ１０値と前記目標Ｘ１０Ｙ１０Ｚ１０値とが一致するような校正値を得て、
前記表示装置の特性に応じた前記ＣＩＥ１９６４表色系における校正値をＣＩＥ１９３１表色系の校正値に書き換え、
前記書き換えられたＣＩＥ１９３１表色系の校正値を用いて、前記表示装置の色補正を行う
ことを特徴とする表示装置の校正方法。
【発明の詳細な説明】
【技術分野】
【０００１】
本発明は、表示装置の校正を行う表示装置の校正装置、表示装置の校正方法に関する。
【背景技術】
【０００２】
表示装置の校正では、一般的に、紙白や他表示装置の白色が目標色として与えられる。この際、目標色や光学センサの測色値は、業界標準であるＣＩＥ１９３１表色系ＸＹＺ値を用いて定義される。このＣＩＥ１９３１表色系ＸＹＺ値は、表示装置に対する観測視野が、視角４°以下（例えば視角２°）の場合に適当されている。
このような表示装置やパソコンなどの規格は、歴史的にＣＩＥ１９３１表色系ＸＹＺ値で色管理が行われている。例えば、ＣＩＥ１９３１表色系の色情報を用いて、カラーマッチング処理を行うものが特許文献１に記載されている。
【先行技術文献】
【特許文献】
【０００３】
【特許文献１】特開２００２−０７２９９７号公報
【発明の概要】
【発明が解決しようとする課題】
【０００４】
しかしながら、このようなＣＩＥ１９３１表色系の値を用いて大型の表示装置を校正した場合、知覚的なカラーマッチングが得づらく、表示装置を正しく校正することは難しいという課題がある。
すなわち、大画面の表示装置を評価する場合には、画面の大きさのため、観測視野角が４°を越えることとなる。このような大画面を利用する場合、ＣＩＥ１９６４表色系Ｘ１０Ｙ１０Ｚ１０値を用いることにより、知覚的に優れたカラーマッチングを得ることができる。
しかし、ＣＩＥ１９６４表色系Ｘ１０Ｙ１０Ｚ１０値は、ＣＩＥ１９３１表色系ＸＹＺ値が規定する観測視野（視角４°以内）とは異なる視覚特性となるため、目標色や光学センサの測色値がＣＩＥ１９３１表色系ＸＹＺ値を用いて定義されていると、知覚的なカラーマッチングが得づらく、正しく校正を行うことが困難であった。
【課題を解決するための手段】
【０００５】
本発明は、上述の課題を解決するために、表示装置に表示される画像を測定してＣＩＥ１９３１表色系の三刺激値である測定ＸＹＺ値を検出する検出手段と、前記表示装置の特性を参照し、前記ＣＩＥ１９３１表色系の測定ＸＹＺ値をＣＩＥ１９６４表色系で表した値である測定Ｘ１０Ｙ１０Ｚ１０値を算出する第１の変換手段と、ＣＩＥ１９３１表色系の目標色の三刺激値である目標ＸＹＺ値からＣＩＥ１９６４表色系で表した値である目標Ｘ１０Ｙ１０Ｚ１０値を算出する第２の変換手段と、前記測定Ｘ１０Ｙ１０Ｚ１０値と前記目標Ｘ１０Ｙ１０Ｚ１０値とを比較し、前記測定Ｘ１０Ｙ１０Ｚ１０値と前記目標Ｘ１０Ｙ１０Ｚ１０値とが一致するような校正値を得る校正値算出手段と、前記表示装置の特性に応じた前記ＣＩＥ１９６４表色系における校正値をＣＩＥ１９３１表色系の校正値に書き換える校正値修正手段と、前記書き換えられたＣＩＥ１９３１表色系の校正値を用いて、前記表示装置の色補正を行う補正手段と、を有する。
【発明の効果】
【０００６】
本発明によれば、ＣＩＥ１９６４表色系のＸ１０Ｙ１０Ｚ１０値を用いる視覚特性の表示装置であっても、ＣＩＥ１９３１表色系のＸＹＺ値との互換性を持たせて色補正を行うことができる。
【図面の簡単な説明】
【０００７】
【図１】図１は、表示装置の色情報を校正する場合における手順を説明するフローチャートである。
【図２】第１の実施形態における表示装置の校正装置の校正を表すブロック図である。
【図３】第１の実施形態における表示装置の校正装置の動作を説明するフローチャートである。
【図４】第２の実施形態における表示装置の校正装置の機能を説明するブロック図である。
【図５】第２の実施形態における表示装置の校正装置の動作を説明するフローチャートである。
【図６】第３の実施形態における表示装置の校正装置の機能を説明するブロック図である。
【発明を実施するための形態】
【０００８】
以下、本発明における表示装置の校正装置について、図面を用いて説明する。この実施形態において、表示装置の表示特性の補正は、表示装置内にあるルックアップテーブル（ＬＵＴ：入出力特性を変換）を用いて行うものである。
図１は、一般的な表示装置の色情報を校正する場合における手順を説明するフローチャートであり、本発明の考え方の基本となっている。
本発明による表示装置は、センサによって表示装置の表示特性（ＣＩＥ１９３１表色系ＸＹＺ値）を測定することにより検出する（ステップＳ１０）。次に、予め記録した目標特性（一般的に白色と表示原色の色度、階調輝度特性）（ＣＩＥ１９３１表色系ＸＹＺ値）を記憶装置から読み出し（ステップＳ１１）、読み出した目標特性と検出された表示特性とを比較し（ステップＳ１２）、校正値を算出し（ステップＳ１３）、ＬＵＴ（Ｌｏｏｋ  ｕｐ  Ｔａｂｌｅ）のデータ、つまり、メモリに記憶されている補正特性を書換える（ステップＳ１４）。そして、このＬＵＴに記憶された補正特性を用いて、入力された画像の色補正を行う（ステップＳ１５）。これにより、ユーザーから見た際に、目標表示特性に知覚的に近い特性が得られる。
【０００９】
次に、本実施形態における表示装置の校正装置について説明する。
以下の実施形態においては、校正の元となる目標特性をＣＩＥ１９３１表色系ＸＹＺ値で持ち、表示装置の測定もＣＩＥ１９３１表色系ＸＹＺ値によって行い、別途有する、ＣＩＥ１９６４表色系Ｘ１０Ｙ１０Ｚ１０値とＣＩＥ１９３１表色系ＸＹＺ値間の複数の変換手段を用いて、ＬＵＴ特性を計算する。ここでは、表示特性の測定に利用される測色器、および基準となる色規格が、一般にＣＩＥ１９６４表色系Ｘ１０Ｙ１０Ｚ１０値を扱えないため、ＣＩＥ１９３１表色系ＸＹＺ値を複数の変換手段を用いて変換を行う。このような変換処理を用いることにより、ＣＩＥ１９６４表色系Ｘ１０Ｙ１０Ｚ１０処理をユーザーから隠蔽し、ＣＩＥ１９３１表色系ＸＹＺ値を用いた表示装置の校正においても、良好なカラーマッチング特性を得ることが可能となる。
【００１０】
〈第１の実施形態〉
次に、図２を用いて、本実施形態における表示装置の校正装置を説明する。図２は、第１の実施形態における表示装置の校正装置の校正を表すブロック図である。この図における表示装置の校正装置は、表示装置内に設けられる。
表示装置の校正装置１Ａにおいて、検出部１０は、表示装置に表示される画像を測定してＣＩＥ１９３１表色系の三刺激値である測定ＸＹＺ値を検出する。この検出部１０は、表示画像を光センサで測定することにより、測定ＸＹＺ値を検出する。第１の変換部１１は、検出部１０が検出したＣＩＥ１９３１表色系の測定ＸＹＺ値からＣＩＥ１９６４表色系で表した三刺激値Ｘ１０Ｙ１０Ｚ１０値である測定Ｘ１０Ｙ１０Ｚ１０値を算出する。または、光センサで直接X１０Y１０Z１０値を測定してもよい。
この算出は、下記の式（１）を用いて推定してもよい。ただし、係数は表示特性によって変更してもよい。
【数１】
2012073342.tif 000003
【００１１】
目標値入力部１２は、ＣＩＥ１９３１表色系の目標となるＸＹＺ値である目標ＸＹＺ値を外部装置から取り込んで入力する。第２の変換部１３は、ＣＩＥ１９３１表色系の目標色の三刺激値である目標ＸＹＺ値からＣＩＥ１９６４表色系で表した値である目標Ｘ１０Ｙ１０Ｚ１０値を算出する。
この算出は、下記の式（２）を用いて推定してもよい。ただし、係数は表示特性によって変更してもよい。
【数２】
2012073342.tif 000004
【００１２】
校正値算出部１４は、第１の変換部１１が算出した測定Ｘ１０Ｙ１０Ｚ１０値と第２の変換部１２が算出した目標Ｘ１０Ｙ１０Ｚ１０値とを比較し、測定Ｘ１０Ｙ１０Ｚ１０値と目標Ｘ１０Ｙ１０Ｚ１０値とが一致するような校正値を算出する。校正値修正部１５は、表示装置の特性に応じたＣＩＥ１９６４表色系における校正値をＣＩＥ１９３１表色系の校正値に書き換える。補正部１６は、校正値修正部１５によって得られたＣＩＥ１９３１表色系の校正値を用いて、目標色となるように表示装置の表示素子を制御して色補正を行う。
【００１３】
次に、図２における表示装置の校正装置の動作について図３のフローチャートを用いて説明する。
まず、検出部１０は、表示装置に表示される画像を測定してＣＩＥ１９３１表色系の三刺激値である測定ＸＹＺ値を検出する（ステップＳ１００）。第１の変換部１１は、検出部１０によって得られたＣＩＥ１９３１表色系の測定ＸＹＺ値からＣＩＥ１９６４表色系の測定Ｘ１０Ｙ１０Ｚ１０値を算出する（ステップＳ１０１）。または、光センサで直接X１０Y１０Z１０値を測定してもよい。
一方、目標値入力部１２は、ＣＩＥ１９３１表色系の目標となるＸＹＺ値である目標ＸＹＺ値を外部装置から取り込んで入力する（ステップＳ１０２）。第２の変換部１３は、ＣＩＥ１９３１表色系の目標ＸＹＺ値からＣＩＥ１９６４表色系の目標Ｘ１０Ｙ１０Ｚ１０値を算出する（ステップＳ１０３）。
【００１４】
校正値算出部１４は、第１の変換部１１が算出した測定Ｘ１０Ｙ１０Ｚ１０値と第２の変換部１２が算出した目標Ｘ１０Ｙ１０Ｚ１０値とを比較し（ステップＳ１０４）、測定Ｘ１０Ｙ１０Ｚ１０値と目標Ｘ１０Ｙ１０Ｚ１０値とが一致するような校正値を算出する（ステップＳ１０５）。校正値修正部１５は、第１の変換部１１によって得られたＣＩＥ１９６４表色系の測定Ｘ１０Ｙ１０Ｚ１０値におけるＬＵＴの校正値を対象として（ステップＳ１０６）、表示装置の特性に応じてＣＩＥ１９６４表色系における校正値をＣＩＥ１９３１表色系の校正値に書き換える（ステップＳ１０７）。補正部１６は、校正値修正部１５によって得られたＣＩＥ１９３１表色系の校正値を用いて、表示装置の色補正を行う（ステップＳ１０８）。
【００１５】
〈第２の実施形態〉
次に、第２の実施形態について、説明する。図４は、第２の実施形態における表示装置の校正装置の機能を説明するブロック図である。
検出部２０は、表示装置に表示される画像を測定してＣＩＥ１９３１表色系の三刺激値である測定ＸＹＺ値を検出する。この検出部２０は、表示画像を光センサで測定することにより、測定ＸＹＺ値を検出する。
目標値入力部２１は、ＣＩＥ１９３１表色系の目標となるＸＹＺ値である目標ＸＹＺ値を外部装置から取り込んで入力する。
第１の変換部２２は、ＣＩＥ１９３１表色系の目標色の三刺激値である目標ＸＹＺ値からＣＩＥ１９６４表色系で表した値である目標Ｘ１０Ｙ１０Ｚ１０値を算出する。
この算出は、下記の式（３）を用いて推定してもよい。ただし、係数は表示特性によって変更してもよい。
【数３】
2012073342.tif 000005
【００１６】
第２の変換部２３は、第１の変換部２２によって得られた目標Ｘ１０Ｙ１０Ｚ１０値から、表示装置の表示特性に応じたＣＩＥ１９３１表色系の目標ＸＹＺ値を算出する。
この算出は、下記の式（４）を用いて推定してもよい。ただし、係数は表示特性によって変更してもよい。
【数４】
2012073342.tif 000006
【００１７】
校正値算出部２４は、検出部２０によって検出された測定ＸＹＺ値と第２の変換手部２３によって得られた目標ＸＹＺ値とを比較し、測定ＸＹＺ値と目標ＸＹＺ値とが一致するような校正値を得る。校正値修正部２５は、表示装置の特性に応じたＣＩＥ１９６４表色系における校正値をＣＩＥ１９３１表色系の校正値に書き換える。補正部２６は、校正値修正部１５によって得られたＣＩＥ１９３１表色系の校正値を用いて、目標色となるように表示装置の表示素子を制御して色補正を行う。
【００１８】
次に、図４の表示装置の構成装置の動作について図５のフローチャートを用いて説明する。
まず、検出部２０は、表示装置に表示される画像を測定してＣＩＥ１９３１表色系の三刺激値である測定ＸＹＺ値を検出する（ステップＳ２００）。目標値入力部２１は、ＣＩＥ１９３１表色系の目標となるＸＹＺ値である目標ＸＹＺ値を外部装置から取り込んで入力する（ステップＳ２０１）。
第１の変換部２２は、ＣＩＥ１９３１表色系の目標ＸＹＺ値からＣＩＥ１９６４表色系で表した値である目標Ｘ１０Ｙ１０Ｚ１０値を算出する（ステップＳ２０２）。第２の変換部２３は、第１の変換部２２によって得られた目標Ｘ１０Ｙ１０Ｚ１０値から、表示装置の表示特性に応じたＣＩＥ１９３１表色系の目標ＸＹＺ値を算出する（ステップＳ２０３）。
【００１９】
校正値算出部２４は、検出部２０によって検出された測定ＸＹＺ値と第２の変換手部２３によって得られた目標ＸＹＺ値とを比較し（ステップＳ２０４）、測定ＸＹＺ値と目標ＸＹＺ値とが一致するような校正値を得る（ステップＳ２０５）。校正値修正部２５は、表示装置の特性に応じたＣＩＥ１９６４表色系における校正値をＣＩＥ１９３１表色系の校正値に書き換える（ステップＳ２０６）。補正部２６は、校正値修正部１５によって得られたＣＩＥ１９３１表色系の校正値を用いて、目標色となるように表示装置の表示素子を制御して色補正を行う（ステップＳ２０７）。
【００２０】
なお、上述した実施形態において、第１の変換部２２が、表示装置の特性を用いてＣＩＥ１９３１表色系測定ＸＹＺ値をＣＩＥ１９６４表色系測定Ｘ１０Ｙ１０Ｚ１０値に変換し、第２の変換手段２３が、第１の変換部２２によって求めたＣＩＥ１９６４表色系測定Ｘ１０Ｙ１０Ｚ１０値をＣＩＥ１９３１表色系測定ＸＹＺ値に変換する。そして、補正値算出部２４は、検出部２０によって得られた検出結果と、第２の変換部２３によって得られたＣＩＥ１９３１表色系ＸＹＺ値とが一致するような校正値を得るようにしてもよい。
【００２１】
次に、第３の実施形態について説明する。図６は、この実施形態における表示装置の校正装置の構成を表す概略ブロック図である。この図における表示装置の構成装置は、例えば、パソコン内に設けられており、表示装置外において、ＩＣＣＰｒｏｆｉｌｅを用い、マッチング対象の表示装置（例えばプロジェクタ）の色補正を行う。
【００２２】
第１の変換部３１は、測定された表示装置の表示特性または目標となる色度を表す目標表示特性を表すＣＩＥ１９３１表色系ＸＹＺ値からＣＩＥ１９６４表色系Ｘ１０Ｙ１０Ｚ１０値を算出する。第１の変換部３１は、ＣＩＥ１９３１表色系ＸＹＺ値からＣＩＥ１９６４表色系Ｘ１０Ｙ１０Ｚ１０値の算出を下記の式（５）を用いて行う。ただし、係数は表示特性によって変更してもよい。
【数５】
2012073342.tif 000007
【００２３】
第２の変換部３２は、マッチング対象（例えば、プロジェクタ装置）の特性を利用し、第１の変換部３１が算出したＣＩＥ１９６４表色系Ｘ１０Ｙ１０Ｚ１０値をＣＩＥ１９３１表色系ＸＹＺ値（Ｃ）に変換する。第３の変換部３３は、ＣＩＥ１９６４表色系Ｘ１０Ｙ１０Ｚ１０値の算出を下記の式（６）を用いて行う。ただし、係数は表示特性によって変更してもよい。
【数６】
2012073342.tif 000008
【００２４】
補正値算出部３３は、第２の変換部３３によって得られた値を表示装置の特性とし、ＩＣＣプロファイルなどを記述する。
これにより、異なるデバイス間においても、ＣＩＥ１９３１表色系ＸＹＺ値を入力及び出力に用いる場合であっても、その間にＣＩＥ１９６４表色系Ｘ１０Ｙ１０Ｚ１０特性を用いて色度の校正を行うことができる。従って、一方のデバイスから得たＣＩＥ１９３１表色系ＸＹＺ値を用いて、ＣＩＥ１９６４表色系Ｘ１０Ｙ１０Ｚ１０値を用いるデバイスの色度を校正することができ、大画面でのカラーマッチングを向上させることができる。
【００２５】
ここで、ＣＩＥ１９６４表色系Ｘ１０Ｙ１０Ｚ１０値は、業界標準であるＣＩＥ１９３１表色系ＸＹＺ値と互換性がない。したがって、あるＣＩＥ１９３１表色系ＸＹＺ値が与えられた際に、対応するＣＩＥ１９６４表色系Ｘ１０Ｙ１０Ｚ１０値を得ること、もしくはその逆変換を行うことは困難であった。従って、調整時の画質目標、もしくは調整結果の報告値（通常、ＩＣＣＰｒｏｆｉｌｅとして表示装置の実特性を記述する）としてＣＩＥ１９６４表色系Ｘ１０Ｙ１０Ｚ１０値を直接利用することは困難であったが、上述した実施形態によれば、目標色を得る校正手順を提供することができる。
【００２６】
安定した色再現を行う表示装置が必要な業界に用いることができる。例えばグラフィックデザイン・印刷所・医療用ディスプレイ等に組み込むことが可能である。
【符号の説明】
【００２７】
１Ａ、１Ｂ  校正装置
１０、２０  検出部
１１、２２、３１  第１の変換部
１２、２１  目標値入力部
１３、２３、３２  第２の変換部
１４、２４  補正値算出部
１５、２５、３３  校正値修正部
１６、２６  補正部
【図１】
2012073342.tif 000009
【図２】
2012073342.tif 000010
【図３】
2012073342.tif 000011
【図４】
2012073342.tif 000012
【図５】
2012073342.tif 000013
【図６】
2012073342.tif 000014
【国際調査報告】
2012073342.tif 000015
2012073342.tif 000016
2012073342.tif 000017
2012073342.tif 000018
2012073342.tif 000019
2012073342.tif 000020